(57)【要約】      （修正有）【課題】悪意あるコンテンツプロバイダのコンテンツへの不用意なアクセスの防止を支援する仕組みを提供すること。【解決手段】ゲートウェイサーバ装置５０は、インターネット通信網４０から自装置５０を経由して移動体パケット通信網２０へ転送するＨＴＴＰレスポンスの発信元のＵＲＬがデータベースに記憶されているときは、エレメント指定パラメータをそのヘッダ部に内包させた上で移動体パケット通信網２０へ転送する。このエレメント指定パラメータは、移動体端末１０においてピクトグラムを表示させるものである。【選択図】図１
2008199377.tif 000002
【特許請求の範囲】
【請求項１】
一又は複数のアドレスを記憶した記憶手段と、
通信端末を宛先とするコンテンツデータを受信する受信手段と、
前記受信したコンテンツデータの発信元のアドレスが前記記憶手段に記憶されたアドレスであるか否か判断する判断手段と、
前記受信したコンテンツデータの発信元のアドレスが前記記憶手段に記憶されたアドレスであると前記判断手段が判断した場合、そのコンテンツデータの宛先の通信端末におけるコンテンツの表示態様を決定付けるパラメータ及び当該コンテンツデータを通信端末へ送信する送信手段と
を備えたコンテンツ流通管理装置。
【請求項２】
請求項１に記載のコンテンツ流通管理装置において、
インターネット通信網のアドレスを含むリクエストを通信端末から受信する手段と、
前記受信したリクエストをインターネット通信網へ転送する手段と
を更に備えたコンテンツ流通管理装置。
【請求項３】
一又は複数のアドレスを記憶した記憶手段と、
コンテンツデータを受信した通信端末からそのコンテンツデータの格納元のアドレスを受信する受信手段と、
前記受信したアドレスが前記記憶手段に記憶されたアドレスであるか否か判断する判断手段と、
前記受信したアドレスが前記記憶手段に記憶されたアドレスであると前記判断手段が判断した場合、そのコンテンツデータの宛先の通信端末におけるコンテンツの表示態様を決定付けるパラメータを通信端末へ送信する送信手段と
を備えたコンテンツ流通管理装置。
【請求項４】
請求項１乃至３のいずれか１項に記載のコンテンツ流通管理装置において、
前記コンテンツデータは、
通信端末の表示デバイスに表示させるテキスト又はイメージをそれぞれ示すエレメントとそれらのレイアウトとを所定のマークアップ言語により記した表示制御データである
コンテンツ流通管理装置。
【請求項５】
請求項４に記載のコンテンツ流通管理装置において、
前記パラメータは、
通信端末の表示デバイスに表示された後、その操作子の操作によって選択アイコンと重なった時に所定のピクトグラムを出現させる特定のテキスト又はイメージのエレメントを指し示すパラメータである
コンテンツ流通管理装置。
【請求項６】
請求項４に記載のコンテンツ流通管理装置において、
前記パラメータは、
通信端末の表示デバイスに表示された後、その操作子の操作によってハイライト表示になった時に所定のピクトグラムを出現させる特定のテキスト又はイメージのエレメントを指し示すパラメータである
コンテンツ流通管理装置。
【請求項７】
請求項５又は６に記載のコンテンツ流通管理装置において、
前記特定のテキスト又はイメージを示すエレメントは、
所定の認定を受けたアドレスへハイパーリンクされたエレメントである
コンテンツ流通管理装置。
【請求項８】
情報の表示手段と、
操作子と、
テキスト又はイメージをそれぞれ示すエレメントとそれらのレイアウトとを所定のマークアップ言語により記した表示制御データであるコンテンツデータと、特定のエレメントを指し示すパラメータとを受信する受信手段と、
前記受信したコンテンツデータのエレメントが示すテキスト又はイメージをそのレイアウトに従って前記表示手段に表示させる第１の表示制御手段と、
前記表示手段に表示されたテキスト又はイメージのうち、前記受信したパラメータが指し示すエレメントを基に表示させたテキスト又はイメージと選択アイコンとが前記操作子の操作によって重なった時に所定のピクトグラムを出現させる第２の表示制御手段と
を備えた通信端末。
【請求項９】
情報の表示手段と、
操作子と、
テキスト又はイメージをそれぞれ示すエレメントとそれらのレイアウトとを所定のマークアップ言語により記した表示制御データであるコンテンツデータと、特定のエレメントを指し示すパラメータとを受信する受信手段と、
前記受信したコンテンツデータのエレメントが示すテキスト又はイメージをそのレイアウトに従って前記表示手段に表示させる第１の表示制御手段と、
前記表示手段に表示されたテキスト又はイメージのうち、前記受信したパラメータが指し示すエレメントを基に表示させたテキスト又はイメージが前記操作子の操作によってハイライト表示になった時に所定のピクトグラムを出現させる第２の表示制御手段と
を備えた通信端末。
【請求項１０】
情報の表示手段と、操作子と、情報の通信手段とを有するコンピュータ装置に、
テキスト又はイメージをそれぞれ示すエレメントとそれらのレイアウトとを所定のマークアップ言語により記した表示制御データであるコンテンツデータと、特定のエレメントを指し示すパラメータとを前記通信手段を介してを受信する受信機能と、
前記受信したコンテンツデータのエレメントが示すテキスト又はイメージをそのレイアウトに従って前記表示手段に表示させる第１の表示制御機能と、
前記表示手段に表示されたテキスト又はイメージのうち、前記受信したパラメータが指し示すエレメントを基に表示させたテキスト又はイメージと選択アイコンとが前記操作子の操作によって重なった時に所定のピクトグラムを出現させる第２の表示制御機能と
を実現させるプログラム。
【請求項１１】
情報の表示手段と、操作子と、情報の通信手段とを備えたコンピュータ装置に、
テキスト又はイメージをそれぞれ示すエレメントとそれらのレイアウトとを所定のマークアップ言語により記した表示制御データであるコンテンツデータと、特定のエレメントを指し示すパラメータとを前記通信手段を介して受信する受信機能と、
前記受信したコンテンツデータのエレメントが示すテキスト又はイメージをそのレイアウトに従って前記表示手段に表示させる第１の表示制御機能と、
前記表示手段に表示されたテキスト又はイメージのうち、前記受信したパラメータが指し示すエレメントを基に表示させたテキスト又はイメージが前記操作子の操作によってハイライト表示になった時に所定のピクトグラムを出現させる第２の表示制御機能と
を実現させるプログラム。
【請求項１２】
一又は複数のアドレスを記憶した記憶手段と、
通信端末を宛先とするコンテンツデータを受信する受信手段と、
前記受信したコンテンツデータの発信元のアドレスが前記記憶手段に記憶されたアドレスであるか否か判断する判断手段と、
前記受信したコンテンツデータの発信元のアドレスが前記記憶手段に記憶されたアドレスであると前記判断手段が判断した場合、そのコンテンツデータの宛先の通信端末におけるコンテンツの表示態様を決定付けるパラメータ及び当該コンテンツデータを通信端末へ送信する送信手段と
有するコンテンツ流通管理装置と、
前記コンテンツ流通管理装置からパラメータ及びコンテンツデータを受信する受信手段と、
前記受信したコンテンツデータを表示すると共に、その表示態様を前記受信したパラメータに従って制御するコンテンツ表示制御手段と、
を有する通信端末と
を備えたコンテンツ流通システム。
【発明の詳細な説明】
【技術分野】
【０００１】
本発明は、通信端末向けのコンテンツの流通を制御する技術に関する。
【背景技術】
【０００２】
携帯電話機の多くがＣＨＴＭＬ（Compact Hyper Text Markup Language）などのマークアップ言語で記述されたコンテンツを解釈可能なブラウザを実装するようになり、携帯電話機のユーザがパーソナルコンピュータを利用するのと同じようにインターネットから様々な情報を入手して閲覧できるような通信環境が整いつつある。このような環境の整備を背景として、「コンテンツプロバイダ」と呼ばれる、携帯電話機用の各種コンテンツをインターネット上のサーバに蓄積して配信する事業者が現れるに至っている。そして、この種の事業者の中には、携帯電話機のユーザが意図しないような不当な課金や情報発信を余儀なくさせるようなコンテンツを提供する悪意者も少なくない。このような悪意あるコンテンツプロバイダのコンテンツへの不用意なアクセスの防止を支援する仕組みを開示した文献として、特許文献１がある。同文献に開示されたコンテンツ閲覧装置は、あるＵＲＬ（Uniform Resource Locator）から取得して表示させているコンテンツ内の別のＵＲＬへハイパーリンクされたエレメントに選択アイコンが移動すると、そのハイパーリンク先のコンテンツの概要や属性などがポップアップ表示されるようになっている。この仕組みを既存の携帯電話機に実装すれば、ユーザは、ハイパーリンク先のコンテンツが悪意あるコンテンツプロバイダの提供にかかるものであるかを前もって了解することも可能である。特許文献２乃至４にも同種の技術の開示がある。
【特許文献１】特開２００４−１７８５１２号公報
【特許文献２】特開２００５−３２０４１号公報
【特許文献３】特開２００４−４６４７８号公報
【特許文献４】特開２０００−２７６４７１号公報
【発明の開示】
【発明が解決しようとする課題】
【０００３】
しかしながら、特許文献１などに開示された仕組みによると、携帯電話機は、別のＵＲＬへのハイパーリンクを含むコンテンツを表示させる際、そのハイパーリンク先のコンテンツの概要や属性などを定義した定義データをも併せて取得することなしにポップアップ表示を行うことができない。よって、定義データの取得に伴う携帯電話機の処理負担の増大という問題が発生し得る。一方、上述した不当な課金や情報発信は、「送信」や「決済」などといったボタンを携帯電話機のユーザが選択したことをトリガーとして実行される。よって、そのようなユーザの行為に対して注意を促す何らかのメッセージを出現させるようにすれば、ユーザ自らによる慎重な判断を促し、悪意あるコンテンツプロバイダの被害をある程度抑止できると考えられる。
本発明は、このような背景の下に案出されたものであり、ユーザによって行われようとする操作に対して注意を促す仕組みを提供することを目的とする。
【課題を解決するための手段】
【０００４】
本発明の好適な態様であるコンテンツ流通管理装置は、一又は複数のアドレスを記憶した記憶手段と、通信端末を宛先とするコンテンツデータを受信する受信手段と、前記受信したコンテンツデータの発信元のアドレスが前記記憶手段に記憶されたアドレスであるか否か判断する判断手段と、前記受信したコンテンツデータの発信元のアドレスが前記記憶手段に記憶されたアドレスであると前記判断手段が判断した場合、そのコンテンツデータの宛先の通信端末におけるコンテンツの表示態様を決定付けるパラメータ及び当該コンテンツデータを通信端末へ送信する送信手段とを備える。
ここで、「決定付ける」とは、記憶手段に記憶されたアドレスから提供されるコンテンツデータをそうでないコンテンツデータと視覚的に識別し得るような表示のさせ方を一意に特定することを意味する。
【０００５】
この態様において、インターネット通信網のアドレスを含むリクエストを通信端末から受信する手段と、前記受信したリクエストをインターネット通信網へ転送する手段とを更に備える。
【０００６】
本発明の別の好適な態様であるコンテンツ流通管理装置は、一又は複数のアドレスを記憶した記憶手段と、コンテンツデータを受信した通信端末からそのコンテンツデータの格納元のアドレスを受信する受信手段と、前記受信したアドレスが前記記憶手段に記憶されたアドレスであるか否か判断する判断手段と、前記受信したアドレスが前記記憶手段に記憶されたアドレスであると前記判断手段が判断した場合、そのコンテンツデータの宛先の通信端末におけるコンテンツの表示態様を決定付けるパラメータを通信端末へ送信する送信手段とを備える。
【０００７】
この態様において、前記コンテンツデータは、通信端末の表示デバイスに表示させるテキスト又はイメージをそれぞれ示すエレメントとそれらのレイアウトとを所定のマークアップ言語により記した表示制御データであってもよい。
【０００８】
また、前記パラメータは、通信端末の表示デバイスに表示された後、その操作子の操作によって選択アイコンと重なった時に所定のピクトグラムを出現させる特定のテキスト又はイメージのエレメントを指し示すパラメータであってもよい。
【０００９】
また、前記パラメータは、通信端末の表示デバイスに表示された後、その操作子の操作によってハイライト表示になった時に所定のピクトグラムを出現させる特定のテキスト又はイメージのエレメントを指し示すパラメータであってもよい。
【００１０】
前記特定のテキスト又はイメージを示すエレメントは、所定の認定を受けたアドレスへハイパーリンクされたエレメントであってもよい。
【００１１】
本発明の別の好適な態様である通信端末は、情報の表示手段と、操作子と、テキスト又はイメージをそれぞれ示すエレメントとそれらのレイアウトとを所定のマークアップ言語により記した表示制御データであるコンテンツデータと、特定のエレメントを指し示すパラメータとを受信する受信手段と、前記受信したコンテンツデータのエレメントが示すテキスト又はイメージをそのレイアウトに従って前記表示手段に表示させる第１の表示制御手段と、前記表示手段に表示されたテキスト又はイメージのうち、前記受信したパラメータが指し示すエレメントを基に表示させたテキスト又はイメージと選択アイコンとが前記操作子の操作によって重なった時に所定のピクトグラムを出現させる第２の表示制御手段とを備える。
【００１２】
本発明の別の好適な態様である通信端末は、情報の表示手段と、操作子と、テキスト又はイメージをそれぞれ示すエレメントとそれらのレイアウトとを所定のマークアップ言語により記した表示制御データであるコンテンツデータと、特定のエレメントを指し示すパラメータとを受信する受信手段と、前記受信したコンテンツデータのエレメントが示すテキスト又はイメージをそのレイアウトに従って前記表示手段に表示させる第１の表示制御手段と、前記表示手段に表示されたテキスト又はイメージのうち、前記受信したパラメータが指し示すエレメントを基に表示させたテキスト又はイメージが前記操作子の操作によってハイライト表示になった時に所定のピクトグラムを出現させる第２の表示制御手段とを備える。
【００１３】
本発明の別の好適な態様であるプログラムは、情報の表示手段と、操作子と、情報の通信手段とを有するコンピュータ装置に、テキスト又はイメージをそれぞれ示すエレメントとそれらのレイアウトとを所定のマークアップ言語により記した表示制御データであるコンテンツデータと、特定のエレメントを指し示すパラメータとを前記通信手段を介してを受信する受信機能と、前記受信したコンテンツデータのエレメントが示すテキスト又はイメージをそのレイアウトに従って前記表示手段に表示させる第１の表示制御機能と、前記表示手段に表示されたテキスト又はイメージのうち、前記受信したパラメータが指し示すエレメントを基に表示させたテキスト又はイメージと選択アイコンとが前記操作子の操作によって重なった時に所定のピクトグラムを出現させる第２の表示制御機能とを実現させる。
【００１４】
本発明の別の好適な態様であるプログラムは、情報の表示手段と、操作子と、情報の通信手段とを備えたコンピュータ装置に、テキスト又はイメージをそれぞれ示すエレメントとそれらのレイアウトとを所定のマークアップ言語により記した表示制御データであるコンテンツデータと、特定のエレメントを指し示すパラメータとを前記通信手段を介して受信する受信機能と、前記受信したコンテンツデータのエレメントが示すテキスト又はイメージをそのレイアウトに従って前記表示手段に表示させる第１の表示制御機能と、前記表示手段に表示されたテキスト又はイメージのうち、前記受信したパラメータが指し示すエレメントを基に表示させたテキスト又はイメージが前記操作子の操作によってハイライト表示になった時に所定のピクトグラムを出現させる第２の表示制御機能とを実現させる。
【００１５】
本発明の別の好適な態様であるコンテンツ流通システムは、一又は複数のアドレスを記憶した記憶手段と、通信端末を宛先とするコンテンツデータを受信する受信手段と、前記受信したコンテンツデータの発信元のアドレスが前記記憶手段に記憶されたアドレスであるか否か判断する判断手段と、前記受信したコンテンツデータの発信元のアドレスが前記記憶手段に記憶されたアドレスであると前記判断手段が判断した場合、そのコンテンツデータの宛先の通信端末におけるコンテンツの表示態様を決定付けるパラメータ及び当該コンテンツデータを通信端末へ送信する送信手段と有するコンテンツ流通管理装置と、前記コンテンツ流通管理装置からパラメータ及びコンテンツデータを受信する受信手段と、前記受信したコンテンツデータを表示すると共に、その表示態様を前記受信したパラメータに従って制御するコンテンツ表示制御手段と、を有する通信端末とを備える。
【発明を実施するための最良の形態】
【００１６】
（第１実施形態）
本願発明の第１実施形態について説明する。
まず、本実施形態で用いる主要な用語を定義する。「キャリア」とは、移動体パケット通信網を運営する通信事業者を意味する。「ユーザ」とは、移動体端末を購入した上でキャリアとの間に移動体パケット通信網の利用契約を結んでいる者を意味する。「コンテンツプロバイダ」とは、インターネット通信網に設けた自らのサーバ装置からユーザに向けた各種コンテンツの配信サービスを提供している事業者を意味する。コンテンツプロバイダの中には、自らのコンテンツがユーザに不当な損害を与えるものでないことの認定をキャリアより受けた上でサービスを提供する認定コンテンツプロバイダと、そのような認定を受けることなくサービスを提供する非認定コンテンツプロバイダとが混在する。
【００１７】
図１は、本実施形態に係るコンテンツ流通システムの全体構成図である。図に示すように、このシステムは、移動体端末１０が接続される移動体パケット通信網２０、コンテンツ提供サーバ装置３０が接続されるインターネット通信網４０、及びそれらの両通信網の間に介在するゲートウェイサーバ装置５０より構成される。
【００１８】
移動体パケット通信網２０は、ＴＣＰ（transmission control protocol）／ＩＰ（internet protocol）を簡素化したプロトコルや、そのＴＣＰ／ＩＰ上で実現される、ＨＴＴＰ（hyper text transfer protocol）に相当するプロトコルなどに準拠した手順でデータを転送するノードの集合体であり、基地局やパケット加入者処理装置を有する。一方、インターネット通信網４０は、ＴＣＰ／ＩＰや、そのＴＣＰ／ＩＰ上で実現されるＨＴＴＰ、ＳＭＴＰ（simple mail transfer protocol）などに準拠した手順でデータを伝送するノードの集合体であり、サーバ装置やルータを有する。
【００１９】
ゲートウェイサーバ装置５０は、キャリアによる管理の下、移動体パケット通信網２０とインターネット通信網４０を相互接続する移動パケット関門中継交換局内にて稼働するコンピュータであり、一方の通信網のノードから他方の通信網のノードへ送出されたデータは、このゲートウェイサーバ装置５０にてプロトコル変換された上で、他方の通信網のノードへと転送される。また、このゲートウェイサーバ装置５０は、変換の済んだデータを転送する際に本実施形態に特徴的な処理を併せて行うようになっている。この処理の詳細については後述する。
【００２０】
図２は、移動体端末１０の物理的構成を示す図である。移動体端末１０は、制御部１１、送受信部１２、指示入力部１３、及び液晶表示部１４を備える。
送受信部１２は、制御部１１による制御の下、移動体パケット通信網２０の基地局と無線通信を行う。
指示入力部１３は、ＰＢ（プッシュボタン）等の各種ボタン及びカーソルキーからなり、ユーザによって入力操作が行われると、その入力操作に対応した操作信号を制御部１１に供給する。液晶表示部１４は、液晶パネル等の表示装置から構成されており、制御部１１による制御の下に各種情報を表示する。
【００２１】
制御部１１は、ＣＰＵ１５、ＲＯＭ１６、ＲＡＭ１７、及びＥＥＰＲＯＭ１８を有している。
ＣＰＵ１５は、ＲＡＭ１７をワークエリアとして利用しつつ、ＲＯＭ１６やＥＥＰＲＯＭ１８に記憶された各種プログラムを実行する。
【００２２】
ＲＯＭ１６には、プリインストールプログラムが記憶される。プリインストールプログラムは、移動体端末１０の製造過程においてＲＯＭ１６に記憶されるプログラムであり、具体的には、マルチタスクオペレーティングシステム（以下、「マルチタスクＯＳ」と記す）、Java（登録商標）プラットフォームプログラム、ネイティブアプリケーションの各プログラムである。これらのプログラムについて概説すると、まず、マルチタスクＯＳは、ＴＳＳ（Time-Sharing System）による複数タスクの擬似的な並列実行を実現するために必要な、仮想メモリ空間割り当てなどの各種機能をサポートしたオペレーティングシステムである。Javaプラットフォームプログラムは、後述するJava実行環境を実現すべくＣＤＣ（Connected  Device Configuration）に従って記述されたプログラム群である。ネイティブアプリケーションは、通話やブラウジング、メール送受などといった移動体端末１０の基本的なサービスを実現するプログラムであり、メール送受サービスの提供を受けるためのメーラプリケーション、ブラウジングサービスの提供を受けるためのブラウザプリケーションを含む。
【００２３】
ＥＥＰＲＯＭ１８は、Javaアプリケーション格納領域を有する。この領域には、Javaアプリケーションが記憶される。Javaアプリケーションは、Java実行環境下における処理の手順そのものを記述した実体プログラムとその実体プログラムの実行に伴って利用される画像ファイルや音声ファイルとを取り纏めたＪａｒ(Java Archive)ファイル、及びそのＪａｒファイルのインストールや起動、各種の属性を記したＡＤＦ（Application Descriptor File ）を有している。このJavaアプリケーションは、コンテンツプロバイダ若しくはキャリアにより作成されてインターネット通信網４０のサーバ装置などに格納され、移動体端末１０からのリクエストに応じてそれらのサーバ装置から適宜ダウンロードされるようになっている。
【００２４】
図３は、ＲＯＭ１６及びＥＥＰＲＯＭ１８の各種プログラムの実行により移動体端末１０の制御部１１に実現され得る各部の論理的構成を示す図である。図に示すように、各種プログラムを実行する移動体端末１０には、ブラウザ６１、メーラ６２、及びJava実行環境６４がＯＳ６３上に実現され、また、ＥＥＰＲＯＭ１８には第１ストレージ６５と第２ストレージ６６とが確保される。ブラウザ６１及びメーラ６２は、ＲＯＭ１６のネイティブアプリケーションにより実現されるものであり、ＨＴＭＬ（Hyper Text Markup Language）形式で記述されたデータの受信やその解釈、電子メールの送受信などの役割を司る。
【００２５】
Java実行環境６４は、ＲＯＭ１６のJavaプラットフォームプログラムにより実現される。Java実行環境６４は、クラスライブラリ６７、ＪＶＭ（Java Virtual Machine）６８、及びＪＡＭ（Java Application Manager）６９から成る。クラスライブラリ６７は、「クラス」と呼ばれる、汎用性の高い特定の機能を持ったプログラムモジュール群を１つのファイルに取り纏めたものである。ＪＶＭ６８は、マルチタスクＯＳを搭載させた携帯器機向けのコンフィギュレーションであるＣＤＣ用に最適化されたＪＶＭであり、Javaアプリケーションとして提供されるバイトコードを解釈し及び実行する役割を司る。ＪＡＭ６９は、Javaアプリケーションのダウンロードとインストールとを主導する役割を司る。
【００２６】
第１ストレージ６５は、ＪＡＭ６９による主導の下にダウンロードされるJavaアプリケーション（ＪａｒファイルとＡＤＦ）を格納する領域である。第２ストレージ６６は、Javaアプリケーションの実行の際に生成されたデータをその終了後に格納しておくための領域であり、インストールされた各Javaアプリケーション毎に個別の格納領域が割り当てられるようになっている。そして、あるJavaアプリケーションに割り当てた格納領域のデータは、そのJavaアプリケーションが実行されている間のみ書き換え可能となっており、別のJavaアプリケーションが書き換えを行い得ないようになっている。
【００２７】
図４は、コンテンツ提供サーバ装置３０のハードウェア概略構成を示す図である。このサーバ装置３０は、コンテンツプロバイダによってそれぞれ運営されており、図に示すように、制御部３１、通信インターフェース３２、及びハードディスク３３を備えている。
制御部３１は、ＣＰＵ３４、ＲＯＭ３５、ＲＡＭ３６などを内蔵する。
通信インターフェース３２は、ＴＣＰ／ＩＰ、ＨＴＴＰなどのプロトコルに従ったデータの遣り取りを司る。
【００２８】
ハードディスク３３は、コンテンツデータ３７を記憶する。コンテンツデータ３７は、コンテンツ提供サーバ装置３０の運営主体であるコンテンツプロバイダらの制作にかかるJavaアプリケーション（ＪａｒファイルとＡＤＦ）、又は、移動体端末１０の液晶表示部１４に表示させるテキスト又はイメージのエレメント（要素）とそのレイアウトをＨＴＭＬ（Hyper Text Markup Language）で記述したＨＴＭＬデータである。
【００２９】
図５は、ゲートウェイサーバ装置５０のハードウェア概略構成を示す図である。このサーバ装置５０は、キャリアによる管理の下に稼働しており、図に示すように、制御部５１、通信インターフェース５２、及びハードディスク５３を備えている。
コンテンツ提供サーバ装置３０と同様に、制御部５１は、ＣＰＵ５４、ＲＯＭ５５、ＲＡＭ５６を内臓し、また、通信インターフェース５２の構成も同サーバ装置３０と同様である。
【００３０】
ハードディスク５３は、ピクトグラム表示アプリケーション５７、及び認定ＣＰデータベース５８を記憶する。
ピクトグラム表示アプリケーション５７は、移動体端末１０にダウンロードさせるべくキャリアらに作成された固有のJavaアプリケーション（ＪａｒファイルとＡＤＦ）である。
このピクトグラム表示アプリケーション５７は、移動体端末１０のＪＶＭ６８に、以下の２つの機能を提供する。
ａパラメータ抽出機能
これは、移動体端末１０のブラウザ６１が受信したＨＴＭＬデータのヘッダ部から、アンカータグと関連付けられる特定のエレメントを識別するパラメータ（以下、「エレメント指定パラメータ」と呼ぶ）を抽出する機能である。
ｂピクトグラム表示機能
これは、ヘッダ部から抽出したパラメータが指し示すエレメントのテキスト又はイメージをブラウザ６１が表示させている表示位置と選択アイコンの移動先の位置とが重なった時に、安全なリンク先であることを示すピクトグラムをその選択アイコンの近傍に出現させる機能である。
【００３１】
認定ＣＰデータベース５８は、各々が、認定コンテンツプロバイダからコンテンツデータ３７として提供されるＨＴＭＬデータと対応する複数のレコードの集合体である。このデータベースを構成する１つのレコードは、「アドレス」と「パラメータ」の２つのフィールドを有する。「アドレス」のフィールドには、ＨＴＭＬデータの格納元を示すＵＲＬ（Uniform Resource Locator）が記憶される。「パラメータ」のフィールドには、エレメント指定パラメータが記憶される。
このデータベース５８には、ＨＴＭＬデータをコンテンツデータ３７として提供するコンテンツプロバイダがキャリアによる認定審査を経て認定されるたびに、レコードが１つ追加され、追加されたレコードの両フィールドにＵＲＬとエレメント指定パラメータが記憶されることになっている。この認定手続の流れについて、以下に概説しておく。
【００３２】
コンテンツプロバイダは、Dreamweaver（登録商標）などのＷｅｂサイト構築ツールを用いて作成したＨＴＭＬデータを、そのＨＴＭＬデータを格納する予定である自らのサーバ装置のＵＲＬ及びその他の必要事項を記述した認定申請書類と共にキャリアへ提出する。ＨＴＭＬデータ及び認定申請書類の提出を受けたキャリアは、提出されたＨＴＭＬデータの内容が認定要件を満たすか否かを審査する。具体的には、ＨＴＭＬデータの内容そのものが良俗に反するものでないか、及びそのＨＴＭＬデータにて各アンカータグの属性としてそれぞれ記述されたハイパーリンク先に、移動体端末１０の個人情報などのリソースを不正に導出するJavaアプリケーションが格納されていないかなどを検証する。ＨＴＭＬデータが認定に足るものであるとの検証結果を得たキャリアは、ゲートウェイサーバ装置５０の認定ＣＰデータベース５８に新たなレコードを追加し、認定申請書類に記されていたＨＴＭＬデータのＵＲＬを新たなレコードの「アドレス」に記憶すると共に、検証過程で得ていた、アンカータグに関連付けられていたエレメントのエレメント指定パラメータを、そのレコードの「パラメータ」のフィールドに記憶する。その後、コンテンツを認定した旨をコンテンツプロバイダに通知する。通知を受けたコンテンツプロバイダは、認定申請書類にＵＲＬとして記述しておいた自らのサーバ装置の記憶領域にＨＴＭＬデータを格納し、その配信サービスを開始する。
【００３３】
次に、本実施形態の動作について説明する。
図６は、本実施形態の動作を示すフローチャートである。図に示す動作は、ゲートウェイサーバ装置５０に格納されているピクトグラム表示アプリケーション５７のダウンロードを済ませた移動体端末１０の指示入力部１３が操作され、そのピクトグラム表示アプリケーション５７とブラウザプリケーションとが起動されたことをトリガーとして開始される。
上述したように、移動体端末１０はマルチタスクＯＳ６３を搭載してるので、ＴＳＳによる複数タスクの擬似的な並列実行が可能である。図７は、ピクトグラム表示アプリケーション５７とブラウザプリケーションが共に起動された際にＲＡＭ１７に確保されるメモリ空間を示す概念図である。図に示すように、ＲＡＭ１７には、マルチタスクＯＳ６３を展開するメモリ空間１７ａ、ピクトグラム表示アプリケーション５７とその実行を支援するJavaプラットフォームアプリケーションを展開するメモリ空間１７ｂ、及びブラウザプリケーションを展開するメモリ空間１７ｃが個別に確保される。
【００３４】
図６において、移動体端末１０の制御部１１は、移動体パケット通信網２０のパケット加入者処理装置に対してパケット登録を行う（Ｓ１００）。パケット登録は、自端末１０が移動体パケット通信網２０との間でパケット交換を執り行うための登録手続である。このパケット登録を経て、移動体端末１０は、インターネット通信網４０との各種データの送受信が可能となる。
【００３５】
パケット登録が済むと、移動体端末１０の制御部１１は、指示入力部１３からのＵＲＬの入力を待つ。そして、ユーザが閲覧を希望するコンテンツデータのＵＲＬが指示入力部１３から入力されると、制御部１１は、ＧＥＴの要求メソッドを含むＨＴＴＰリクエストをその入力されたＵＲＬを宛先として移動体パケット通信網２０へ送出する（Ｓ１１０）。送出されたＨＴＴＰリクエストは、移動体パケット通信網２０を経由してゲートウェイサーバ装置５０に送信される。
【００３６】
ＨＴＴＰリクエストを受信したゲートウェイサーバ装置５０の制御部５１は、そのＨＴＴＰリクエストにプロトコル変換を施した上でインターネット通信網４０へ転送する（Ｓ１２０）。転送されたＨＴＴＰリクエストは、インターネット通信網４０を経由してその宛先のコンテンツ提供サーバ装置３０へ送信される。
【００３７】
ＨＴＴＰリクエストを受信したコンテンツ提供サーバ装置３０の制御部３１は、そのＨＴＴＰリクエストのあて先のＵＲＬが指し示すハードディスク３３の記憶領域から読み出したＨＴＭＬデータを含むＨＴＴＰレスポンスを、ＨＴＴＰリクエストの発信元の移動体端末１０を宛先としてインターネット通信網４０へ送出する（Ｓ１３０）。送出されたＨＴＴＰレスポンスは、インターネット通信網４０を経由してゲートウェイサーバ装置５０に送信される。
【００３８】
ＨＴＴＰレスポンスを受信したゲートウェイサーバ装置５０の制御部５１は、そのＨＴＴＰレスポンスにプロトコル変換を施した後、レスポンスの発信元のＵＲＬが、認定ＣＰデータベース５８の何れかのレコードの「アドレス」のフィールドに記憶されているか否か判断する（Ｓ１４０）。つまり、このステップでは、ＨＴＴＰレスポンスに含まれるＨＴＭＬデータが認定コンテンツプロバイダの提供にかかるものであるか否かが判断されることになる。
【００３９】
ステップ１４０にてＵＲＬが認定ＣＰデータベース５８に記憶されていると判断した制御部５１は、そのＵＲＬを「アドレス」のフィールドに記憶したレコードの「パラメータ」のフィールドから読み出したエレメント指定パラメータをＨＴＴＰレスポンスのヘッダ部に内包させた上で、移動体パケット通信網２０へ転送する（Ｓ１５０）。
【００４０】
一方、ステップ１４０にてＵＲＬが認定ＣＰデータベース５８に記憶されていないと判断した制御部５１は、エレメント指定パラメータをヘッダ部に内包させることなく、プロトコル変換を施したＨＴＴＰレスポンスをそのまま移動体パケット通信網２０へ転送する（Ｓ１６０）。転送されたＨＴＴＰレスポンスは、移動体パケット通信網２０を経由してその宛先の移動体端末１０へ送信される。
以上で、処理が終了となる。
【００４１】
ＨＴＴＰレスポンスを受信した移動体端末１０の制御部１１は、ブラウザアプリケーションのタスクを実行することにより、そのＨＴＴＰレスポンスに含まれるＨＴＭＬデータを解釈して得た画面を液晶表示部１４に表示させると共に、ＨＴＭＬデータに内包されるパラメータに応じてその表示態様を制御する。具体的には、以下の手順に従って処理を行う。
制御部は１１、ＨＴＭＬデータのヘッダ部にエレメント指定パラメータが含まれているか否かを判断し、エレメント指定パラメータが含まれていれば、そのエレメント指定パラメータをヘッダ部から抽出し、抽出したパラメータが指し示すエレメントを特定する。
更に、ＨＴＭＬデータとして記述された各エレメントが示すテキストまたはイメージをそのレイアウトに従って配置した画面を液晶表示部１４に表示させる。そして、エレメント指定パラメータを抽出していたときは、液晶表示部１４に画面を表示させた後、そのエレメント指定パラメータが指し示すエレメントに従って表示させたテキスト又はイメージと選択アイコンが重なったかどうかを監視し、それらのテキスト又はイメージと選択アイコンが重なったことを契機としてピクトグラムを表示させる。
【００４２】
図８は、このピクトグラムが表示される様子を示す図である。上述したように、ピクトグラム表示アプリケーション５７は、パラメータ抽出機能とピクトグラム表示機能とを制御部１１に付与する。ＨＴＭＬレスポンスが受信されると、そのレスポンスに含まれるＨＴＭＬデータを解釈して得た各エレメントが液晶表示部１４の表示領域一面に表示される。これは、ブラウザプリケーションの作用による。更に、図では、各エレメントとそれぞれ対応するテキスト又はイメージのうち、「Ａ社銀行サイト」のサイトへハイパーリンクされたイメージ（ボタン）と重なる位置まで選択アイコン９１が移動されており、安全なサイトであることを示す錠前を模ったピクトグラム９２がその近傍に表示されている。これは、ピクトグラム表示アプリケーション５７のパラメータ抽出機能の作用を受けた制御部１１が、「Ａ社銀行サイト」のイメージ（ボタン）のエレメントを指し示すエレメント指定パラメータをＨＴＭＬレスポンスのヘッダ部から前もって抽出しており、ピクトグラム表示機能の作用を受けた制御部１１がそのエレメント指定パラメータが示す「Ａ社銀行サイト」のイメージ（ボタン）と選択アイコン９１の移動先の位置が重なったことを契機としてピクトグラム９２を出現させたためである。このピクトグラム９２の出現の有無を確認することにより、ユーザは、ハイパーリンク先のサイトが悪意あるコンテンツプロバイダの提供にかかるものでないことを視覚的に了知し得ることになる。
【００４３】
以上説明した本実施形態によると、キャリアの管理の下に稼働するゲートウェイサーバ装置５０は、インターネット通信網４０から自装置５０を経由して移動体パケット通信網２０へ転送するＨＴＴＰレスポンスをプロトコル変換した際、そのＨＴＴＰレスポンスの発信元のＵＲＬがデータベースに記憶されているかを判断し、記憶されたＵＲＬであるときは、エレメント指定パラメータをそのヘッダ部に内包させた上で移動体パケット通信網２０へ転送するようになっている。
よって、エレメント指定パラメータを埋め込んだＨＴＭＬレスポンスの宛先となり得る各移動体端末１０にピクトグラム表示アプリケーション５７をゲートウェイサーバ装置５０からダウンロードさせておけば、そのエレメント指定パラメータが指し示すエレメントのテキスト又はイメージと選択アイコンの移動先が重なったことを契機としてピクトグラムを出現させることができる。また、キャリアは、認定コンテンツプロバイダの制作するコンテンツデータ３７自体に特定のプログラムを組み込ませるなどといったルールをプロバイダ側に課すことなく、悪意あるコンテンツへ不用意にアクセスしないようにユーザを誘導していくことができる。
【００４４】
（第２実施形態）
本願発明の第２実施形態について説明する。
本実施形態における、「キャリア」、「ユーザ」、及び「コンテンツプロバイダ」の意義は第１実施形態と同様である。
第１実施形態では、移動体端末１０宛てのＨＴＴＰレスポンスを受信したゲートウェイサーバ装置５０が、そのＨＴＴＰレスポンスのヘッダ部にエレメント指定パラメータを内包させて転送するようになっていた。これに対し、本実施形態に係るゲートウェイサーバ装置５０は、移動体端末１０宛てのＨＴＴＰレスポンスをプロトコル変換してそのまま転送した後、そのＨＴＴＰレスポンスを受信した移動体端末１０からのリクエストを改めて受信してからエレメント指定パラメータを送信する。
【００４５】
本実施形態の移動体端末１０、コンテンツ提供サーバ装置３０、及びゲートウェイサーバ装置５０のハードウェア構成は第１実施形態と同様なので再度の説明を割愛する。
【００４６】
図９は、本実施形態の動作を示すフローチャートである。図に示す動作は、ゲートウェイサーバ装置５０に格納されているピクトグラム表示アプリケーション５７のダウンロードを済ませた移動体端末１０の指示入力部１３が操作され、そのピクトグラム表示アプリケーション５７とブラウザプリケーションとが起動されたことをトリガーとして開始される。
【００４７】
図９において、移動体端末１０の制御部１１は、移動体パケット通信網２０のパケット加入者処理装置に対してパケット登録を行う（Ｓ２００）。
パケット登録が済むと、移動体端末１０の制御部１１は、指示入力部１３からのＵＲＬの入力を待つ。そして、ユーザが閲覧を希望するコンテンツデータのＵＲＬが指示入力部１３から入力されると、制御部１１は、ＧＥＴの要求メソッドを含むＨＴＴＰリクエストをその入力されたＵＲＬを宛先として移動体パケット通信網２０へ送出する（Ｓ２１０）。送出されたＨＴＴＰリクエストは、移動体パケット通信網２０を経由してゲートウェイサーバ装置５０に送信される。
【００４８】
ＨＴＴＰリクエストを受信したゲートウェイサーバ装置５０の制御部５１は、そのＨＴＴＰリクエストにプロトコル変換を施した上でインターネット通信網４０へ転送する（Ｓ２２０）。転送されたＨＴＴＰリクエストは、インターネット通信網４０を経由してその宛先のコンテンツ提供サーバ装置３０へ送信される。
ＨＴＴＰリクエストを受信したコンテンツ提供サーバ装置３０の制御部３１は、そのＨＴＴＰリクエストのあて先のＵＲＬが指し示すハードディスク３３の記憶領域から読み出したＨＴＭＬデータを含むＨＴＴＰレスポンスを、ＨＴＴＰリクエストの発信元の移動体端末１０を宛先としてインターネット通信網４０へ送出する（Ｓ２３０）。送出されたＨＴＴＰレスポンスは、インターネット通信網４０を経由してゲートウェイサーバ装置５０に送信される。
【００４９】
ＨＴＴＰレスポンスを受信したゲートウェイサーバ装置５０の制御部５１は、そのＨＴＴＰレスポンスにプロトコル変換を施した後、移動体パケット通信網２０へ転送する（Ｓ２４０）。転送されたＨＴＴＰレスポンスは、移動体パケット通信網２０を経由してその宛先の移動体端末１０へ送信される。
ＨＴＴＰレスポンスを受信した移動体端末１０の制御部１１は、そのレスポンスの発信元のコンテンツ提供サーバ装置３０のＵＲＬを内包させた問合せメッセージをゲートウェイサーバ装置５０を宛先として移動体パケット通信網２０へ送出する（Ｓ２５０）。送出された問合せメッセージは、移動体パケット通信網２０を経由してゲートウェイサーバ装置５０に送信される。
【００５０】
問合せメッセージを受信したゲートウェイサーバ装置５０の制御部５１は、そのメッセージに内包されるＵＲＬが、認定ＣＰデータベース５８の何れかのレコードの「アドレス」のフィールドに記憶されているか否か判断する（Ｓ２６０）。
ステップ２６０にてＵＲＬが認定ＣＰデータベース５８に記憶されていると判断した制御部５１は、そのＵＲＬを「アドレス」のフィールドに記憶したレコードの「パラメータ」のフィールドから読み出したエレメント指定パラメータを内包させた応答メッセージを移動体パケット通信網２０へ送出する（Ｓ２７０）。
【００５１】
一方、ステップ２７０にてＵＲＬが認定ＣＰデータベース５８に記憶されていないと判断した制御部５１は、エレメント指定パラメータを内包させない応答メッセージを移動体パケット通信網２０へ転送する（Ｓ２８０）。
【００５２】
送出された応答メッセージは、移動体パケット通信網２０を経由してその宛先の移動体端末１０へ送信される。応答メッセージを受信した移動体端末１０の制御部１１は、そのメッセージにエレメント指定パラメータが内包されているときは、そのパラメータを用いたピクトグラムの表示制御を行う。
以上説明したように、ＨＴＭＬデータの遣り取りとエレメント指定パラメータの遣り取りを２回のセッションに分けて行ったとしても、第１実施形態と同様に、悪意あるコンテンツへ不用意にアクセスしないようにユーザを誘導していくことができる。
【００５３】
（他の実施形態）
本願発明は、種々の変形実施が可能である。
上記実施形態では、ピクトグラム表示アプリケーション５７がゲートウェイサーバ装置５０のハードディスク５３に格納されており、移動体端末１０からの要求を受けてゲートウェイサーバ装置５０からダウンロードされるようになっていた。これに対し、キャリアの運営の下に稼働するサーバ装置をインターネット通信網４０に備え付けてピクトグラム表示アプリケーション５７を格納させておき、そのサーバ装置から移動体端末１０へダウンロードさせるようにしてもよい。
【００５４】
また、ピクトグラム表示アプリケーション５７をJava実行環境上で稼働するJavaアプリケーションとせずに、ネイティブアプリケーションとして移動体端末１０のＲＯＭ１６に予め記憶させておくような構成をとってもよい。
【００５５】
上記実施形態において、ゲートウェイサーバ装置５０は、自装置５０を経由するＨＴＴＰレスポンスの発信元のＵＲＬがハードディスク５３に記憶されているときは、そのＨＴＴＰレスポンスのＨＴＭＬデータに含まれる特定のエレメントを識別するエレメント指定パラメータをヘッダ部に内包させて転送し、ＨＴＴＰレスポンスを受信した移動体端末１０は、そのレスポンスに含まれるＨＴＭＬデータを解釈して結果を基に液晶表示部１４に表示させた各エレメントのうちエレメント指定パラメータが指し示すエレメントと選択アイコンとが重なった時に、ピクトグラムを表示させるようになっていた。つまり、上記実施形態では、ゲートウェイサーバ装置５０が、選択アイコンと重なった時にピクトグラムを表示させる各エレメントの各々をエレメント指定パラメータとして逐一指定するようになっていた。
これに対し、ゲートウェイサーバ装置５０が、ＨＴＴＰレスポンスの発信元のＵＲＬがハードディスク５３に記憶されているか、つまり、認定コンテンツプロバイダの提供にかかるものであるか否かを２値的に示すパラメータのみをＨＴＴＰレスポンスのヘッダ部に内包させて転送するようにしてもよい。そして、この変形例では、そのようなパラメータを含むＨＴＴＰレスポンスを受信した移動体端末１０が、他のサイトへハイパーリンクされたエレメント、つまり、ピクトグラムの出現対象とするエレメントを以下の２つのいずれかの仕組みを用いて特定する。１つ目は、ピクトグラム表示アプリケーション５７に、ヘッダ部にパラメータが含まれていたときに表示態様を変える特定のエレメントのタグの種別を予め登録しておき、ＨＴＭＬデータを解釈していく課程でそれらの特定のエレメントのタグを抽出したときは、それらに従って表示させたテキスト又はイメージと選択アイコンが重なった時にピクトグラムを表示させるものである。２つ目は、タグの種別を登録しておくことなく、ＨＴＭＬデータを解釈していく課程で抽出したタグに従って表示させたすべてのテキスト又はイメージの各々と選択アイコンが重なった時にピクトグラムを表示させるものである。
要するに、ゲートウェイサーバ装置５０によってＨＴＭＬデータに埋め込まれるパラメータは、移動体端末１０におけるコンテンツの表示態様を決定付けるパラメータであれば、特定のエレメントを指し示すものである必要はない。
【００５６】
上記実施形態では、ゲートウェイサーバ装置５０が自装置５０を経由するＨＴＴＰレスポンスにエレメント指定パラメータを内包させていたが、コンテンツ提供サーバ装置３０が、エレメント指定パラメータを埋め込んだＨＴＭＬデータをハードディスク３３に準備し、ＨＴＴＰリクエストの受信を受けてそのパラメータ埋込済みのＨＴＭＬデータをＨＴＴＰレスポンスとして返信してもよい。この変形例によると、ＨＴＴＰレスポンスの発信元が認定コンテンツプロバイダのサーバ装置であるかどうかの判断をゲートウェイサーバ装置５０に行わせることなく、上記実施形態と同様の効果を得ることができる。
【００５７】
上記実施形態において、ゲートウェイサーバ装置５０は、エレメント指定パラメータをＨＴＴＰレスポンスのヘッダ部に内包させていたが、これをＨＴＴＰレスポンスの実体データの一部として転送してもよい。要するに、移動体端末１０側で、ＨＴＴＰレスポンスからエレメント指定パラメータを抽出し得さえすれば、その包含形態は問わない。
上記実施形態は、コンテンツデータの一種であるＨＴＭＬデータを含むＨＴＴＰレスポンスを配信する際の動作をゲートウェイサーバ装置の動作を説明したが、Javaアプリケーションを配信する際にも同様の処理を行なってもよい。つまり、移動体端末１０からの要求に応じてダウンロードされるJavaアプリケーションが認定コンテンツプロバイダの提供にかかるものであるかをゲートウェイサーバ装置５０の経由時に判断し、認定コンテンツプロバイダの提供にかかるものであるときは、そのことを示すパラメータを内包させた上でダウンロードさせるようにしてもよい。また、コンテンツとして移動体端末１０の液晶表示部１４に表示させる各エレメントとそのレイアウトをＨＴＭＬで記述しておく必要はなく、ＸＭＬ (Extensible Markup Language) などの他のマークアップ言語でこれを記述してもよい。
【００５８】
上記実施形態では、移動体端末１０、つまり、移動体パケット通信網２０を介したインターネット通信網４０へのアクセスを可能とする携帯電話機にピクトグラム表示アプリケーション５７を実装させていたが、同種のアプリケーションをインターネット通信網４０への直接のアクセスが可能なパーソナルコンピュータに実装させたとしても同様の作用を得ることが可能である。
【００５９】
上記実施形態では、ハイパーリンク先のコンテンツが、認定コンテンツプロバイダの提供にかかるかそれとも非認定コンテンツプロバイダの提供にかかるかをピクトグラム９２の出現の有無によって識別させていたが、そのハイパーリンク先のコンテンツのＵＲＬがマイメニューに登録されているか、ＵＩＭ（User Identity Module）などの着脱式外部記憶媒体に記憶されているかをピクトグラム９２によって識別させてもよい。また、ハイパーリンク先のコンテンツが、特定の決済方式（Ｅｄｙ（登録商標）やＳｕｉｃａ（登録商標））に従ったアプリケーションのそれぞれを用いて支払い可能か否かをピクトグラム９２によって識別させてもよい。
上記実施形態では、エレメント指定パラメータが指し示すテキスト又はイメージと選択アイコン９１が重なると、錠前を模ったピクトグラム９２がその近傍に出現するようになっていたが、キャリアや認定コンテンツプロバイダにより選定された任意の画像（広告）を錠前のかわりに出現させるようにしてもよい。
【図面の簡単な説明】
【００６０】
【図１】コンテンツ流通システムの全体構成図である。
【図２】通信端末の物理的構成図である。
【図３】通信端末の論理的構成図である。
【図４】コンテンツ提供サーバ装置のハードウェア概略構成図である。
【図５】ゲートウェイサーバ装置のハードウェア概略構成図である。
【図６】第１実施形態の動作を示すフローチャートである。
【図７】メモリ空間を示す概念図である。
【図８】ピクトグラムが表示される様子を示す図である。
【図９】第２実施形態の動作を示すフローチャートである。
【符号の説明】
【００６１】
１０…通信端末端末、１１，３１，５１…制御部、１２…送受信部、１３…指示入力部、１４…液晶表示部、２０…移動体パケット通信網、３０…コンテンツ提供サーバ装置、３２，５２…通信インターフェース、３３，５３…ハードディスク、４０…インターネット通信網、５０…ゲートウェイサーバ装置
【図１】
2008199377.tif 000003
【図２】
2008199377.tif 000004
【図３】
2008199377.tif 000005
【図４】
2008199377.tif 000006
【図５】
2008199377.tif 000007
【図６】
2008199377.tif 000008
【図７】
2008199377.tif 000009
【図８】
2008199377.tif 000010
【図９】
2008199377.tif 000011